(57)【要約】【課題】簡単な構成で湛水法面を円滑且つ確実に緑化可能な湛水法面緑化構造を提供する。【解決手段】湛水法面１１における水位変動領域１１Ａに、水面１２を浮遊する植物の種子を捕捉して、該種子を水位変動領域１１Ａに定着させる、紐状体と網状体と多孔質構造体のいずれか一種又は二種以上からなる種子定着手段１３を施工した。紐状体として、少なくとも１本のロープが保水ロープからなる複数本のロープを撚り合せて用いた。【選択図】図１
2011069186.tif 000002
【特許請求の範囲】
【請求項１】
湛水法面における水位変動領域に、水面を浮遊する植物の種子を捕捉して、該種子を水位変動領域に定着させる、紐状体と網状体と多孔質構造体のいずれか一種又は二種以上からなる種子定着手段を固定設置したことを特徴とする湛水法面緑化構造。
【請求項２】
前記種子がミズアカネの種子である請求項１記載の湛水法面緑化構造。
【請求項３】
前記種子定着手段として、複数本のロープを撚り合せてなる紐状体を用いた請求項１又は２記載の湛水法面緑化構造。
【請求項４】
前記紐状体を構成する少なくとも１本のロープとして保水ロープを用いた請求項３記載の湛水法面緑化構造。
【請求項５】
前記紐状体を波形状に湛水法面の水位変動領域に施工した請求項３又は４記載の湛水法面緑化構造。
【請求項６】
前記種子定着手段として、上下方向に連通する多数の空間を有し、前記水位変動領域に敷設されるハニカム状の型枠と、前記型枠の空間内に装填した天然石又は人工石からなる石材とを有する多孔質構造体を用いた請求項１〜５のいずれか１項記載の湛水法面緑化構造。
【請求項７】
前記種子定着手段として、網籠内に天然石又は人工石からなる石材を内装してなる多孔質構造体を用いた請求項１〜５のいずれか１項記載の湛水法面緑化構造。
【請求項８】
前記石材に植物の種子を客土で被覆してなる種子ボール又は植物のポット苗を植設した請求項６又は７記載の湛水法面緑化構造。
【請求項９】
前記種子定着手段と、水面を浮遊する植物の種子を予め植え付けた植生マットとを併設した請求項１〜８のいずれか１項記載の湛水法面緑化構造。
【発明の詳細な説明】
【技術分野】
【０００１】
本発明は、ダム湖や貯水池などにおける湛水法面緑化構造に関するものである。
【背景技術】
【０００２】
ダム湖や貯水池などにおける湛水法面は、水面よりも上側に常時位置する陸上領域と、水位の変動により、水面よりも上側になったり、水面よりも下側になったりする水位変動領域とに分かれており、湛水法面の緑化は両領域に対して行っている。陸上領域に対しては、一般的な傾斜地に対する緑化工法を採用できるが、水位変動領域では、波浪あるいは洗掘などの物理的障害によって、その表土は不安定であり裸地となっていることから、陸上領域と同様の緑化工法では安定的な緑化ができなかった。そこで、このような水位変動領域の裸地を緑化する方法が従来から種々提案されている。
【０００３】
例えば、傾斜地表面をマットで覆い、その上を押さえ網で被覆し、その押さえ網をアンカーピンで斜面に固定する方法が提案されている（例えば、特許文献１、特許文献６、特許文献７などを参照。）。しかし、この方法では裸地表面の崩壊を防ぐのみであって、法面を緑化するという考えはなかった。このため、ヤシガラ繊維と保水パルプとが含有され、残部がバーク堆肥である緑化基盤材料が提案されている（例えば、特許文献２を参照。）。また、網籠内に不織布の袋を収納し、その袋の内部に植生基盤材を充填したボックスを湛水法面に連続的に設置する方法、袋状マットにフロートを付設して一部が水面に浮かぶようにする水際を緑化する方法などが提案されている（例えば、特許文献４、特許文献５などを参照。）。また、アンカー挿入用の穴をあけた多数の竹筒を湛水法面に適宜間隔で固定した後、これらの竹筒間および竹筒の上に植生基盤材などの吹き付け材を被覆する湛水法面の緑化方法が提案されている（例えば、特許文献８を参照。）。さらには、ロックウール、ピートモス、セメント、ゼオライト、バーミュキュライトなどを含んだ生育基盤をブロアーにより吹き付ける湛水法面の緑化方法が提案されている（例えば、特許文献９、特許文献１０などを参照。）。一方、間欠的に水没する法面、すなわち湛水法面の水位変動領域を緑化するのに適した樹種も提案されている（例えば、特許文献３を参照。）。
【先行技術文献】
【特許文献】
【０００４】
【特許文献１】特開昭６０−３７３３３号公報
【特許文献２】特開昭６１−２２７７０９号公報
【特許文献３】特開平５−２６３４０７号公報
【特許文献４】特開平６−３２２７３１号公報
【特許文献５】特開平７−２６８８３６号公報
【特許文献６】特開平８−１２０６４０号公報
【特許文献７】特開平８−３３３７３５号公報
【特許文献８】特許第２９１２９３８号公報
【特許文献９】特開平１１−１２４８３６号公報
【特許文献１０】特開平１１−１６６２３４号公報
【発明の概要】
【発明が解決しようとする課題】
【０００５】
しかしながら、前記特許文献１〜１０記載の発明は、それぞれ欠点を有するものであり、湛水法面の裸地を緑化する適切な緑化構造や緑化方法が見出されていないのが現状である。
【０００６】
本発明の目的は、簡単な構成で湛水法面を円滑且つ確実に緑化可能な湛水法面緑化構造を提供することである。
【課題を解決するための手段】
【０００７】
本発明に係る湛水法面緑化構造は、湛水法面における水位変動領域に、水面を浮遊する植物の種子を捕捉して、該種子を水位変動領域に定着させる、紐状体と網状体と多孔質構造体のいずれか一種又は二種以上からなる種子定着手段を固定設置したものである。
【０００８】
この湛水法面緑化構造では、ダム湖や貯水池等における水面の低水位状態で、湛水法面の水位変動領域に種子定着手段を固定設置し、低水位状態から高水位状態への移行途中や、高水状態から低水位状態への移行途中において、水面を浮遊する植物の種子が種子定着手段に順次捕捉され、捕捉された種子が水面よりも上側へ移動したときに、該種子が発芽して、湛水法面が緑化されることになる。また、低水位状態から高水位状態への移行途中で、成育した植物の種子が水面に飛散し、次回の低水位状態への移行時に、水面上に飛散した種子が種子定着手段に捕捉され、広範囲にわたって湛水法面の水位変動領域が順次緑化されることになる。更に、湛水法面のうちの種子定着手段を設置していない領域においても、種子定着手段を設置した領域程ではないけれど、地肌部分に種子が付着するなどして、湛水法面全体の緑化が促進されることになる。このように、この湛水法面緑化構造では、ダム湖や貯水池等における水面が季節などによって上下に移動することを利用して、水面を浮遊する植物の種子を順次捕捉し、湛水法面の水位変動領域に植物の種子を分散定着させて、湛水法面を円滑且つ確実に緑化することが可能となる。しかも、種子定着手段として、紐状体と網状体と多孔質構造体のいずれか一種又は二種以上からなるものを用いているので、安価に実施できるとともに、種子定着手段に形成される細部の隙間で種子を効果的に捕捉することができる。
【０００９】
ここで、前記種子がミズアカネの種子であることが好ましい。ミズアカネの種子は、幅狭な隙間に浸入しようとする特性を有するので、種子定着手段として紐状体を用いた場合には、撚り合わせ部分の隙間や紐状体と湛水法面間の隙間に、水面を浮遊する種子が入り込んで捕捉され、また網状体の場合には、網状体の網目の角部や網状体と湛水法面間の隙間に種子が入り込んで捕捉され、さらに多孔質構造体の場合には、該構造体の孔に種子が入り込んで捕捉され、水面が捕捉した種子よりも下がったときに、該種子が発芽して湛水法面が緑化されることになる。
【００１０】
前記種子定着手段として、複数本のロープを撚り合せてなる紐状体を用いることが好ましい実施の形態である。また、前記紐状体を構成する少なくとも１本のロープとして保水ロープを用いると、保水ロープに保持した水分により種子の成育を促進することができる。
【００１１】
前記紐状体を波形状に湛水法面の水位変動領域に施工することも好ましい実施の形態である。このように構成すると、紐状体の使用量を少なくしつつ、湛水法面全体を面的に綺麗に緑化することができる。
【００１２】
前記種子定着手段として、上下方向に連通する多数の空間を有し、前記水位変動領域に敷設されるハニカム状の型枠と、前記型枠の空間内に装填した天然石又は人工石からなる石材とを有する多孔質構造体を用いたり、前記種子定着手段として、網籠内に天然石又は人工石からなる石材を内装してなる多孔質構造体を用いたりすることもできる。この場合には、隣接する石材間の隙間に植物の種子が入り込んで捕捉され、湛水法面の水位変動領域が緑化される。また、石材により波浪による湛水法面の浸食を抑制できるので好ましい。
【００１３】
前記石材に植物の種子を客土で被覆してなる種子ボール又は植物のポット苗を植設することもできる。この場合には、種子ボールやポッド苗で生育した植物の種子が水面に飛散することで、前述と同様に、次年度には水面に飛散した種子が水面の上下移動を利用して種子定着手段により捕捉され、湛水法面が順次緑化されることになる。
【００１４】
前記種子定着手段と、水面を浮遊する植物の種子を予め植え付けた植生マットとを併設することも好ましい実施の形態である。この場合には、植生マットにて植物が成育し、その植物の種子が水面に飛散することで、前述と同様に、水面に飛散した種子が水面の上下移動を利用して種子定着手段により捕捉され、湛水法面が順次緑化されることになる。
【発明の効果】
【００１５】
本発明に係る湛水法面緑化構造によれば、ダム湖や貯水池等における水面が季節などによって上下に移動することを利用して、水面を浮遊する植物の種子を順次捕捉し、湛水法面の水位変動領域に植物の種子を分散定着させて、湛水法面を円滑且つ確実に緑化することが可能となる。しかも、種子定着手段として、紐状体と網状体と多孔質構造体のいずれか一種又は二種以上からなるものを用いているので、安価に実施できるとともに、種子定着手段に形成される細部の隙間で種子を効果的に捕捉することができる。
【図面の簡単な説明】
【００１６】
【図１】紐状体からなる種子定着手段からなる湛水法面緑化構造の説明図
【図２】紐状体からなる種子定着手段の施工方法の説明図
【図３】同種子定着手段の紐状体を固定するためのアンカー材の正面図
【図４】紐状体からなる他の構成の種子定着手段の説明図
【図５】網状体からなる種子定着手段を用いた他の湛水法面緑化構造の説明図
【図６】網状体からなる種子定着手段の説明図
【図７】網籠を用いた多孔質構造体からなる種子定着手段の説明図
【図８】型枠を用いた多孔質構造体からなる種子定着手段の（ａ）は石材投入前の型枠の斜視図、石材投入後の型枠の斜視図
【図９】図８（ｂ）のIX-IX線断面図
【図１０】植生マットを併用した他の湛水法面緑化構造の説明図
【図１１】植生マットを併用した他の湛水法面緑化構造の説明図
【発明を実施するための形態】
【００１７】
以下、本発明を実施するための形態について、図面を参照しながら説明する。
図１〜図３に示すように、湛水法面緑化構造１０は、ダム湖や貯水池における湛水法面１１の水位変動領域１１Ａに、水面１２を浮遊する植物の種子を捕捉して、該種子を水位変動領域１１Ａに定着させる、紐状体２１と網状体２４と多孔質構造体２７、３３のいずれか一種又は二種以上からなる種子定着手段１３を施工したものである。
【００１８】
湛水法面１１は、水面１２よりも上側に常時位置する陸上領域１１Ｂと、季節によって水位が変動して、例えば水使用量が増える夏季には水没し、水使用量が減少する冬季には水面１２によりも上側に露出する水位変動領域１１Ａとで構成されている。水位変動領域１１Ａでは、波浪あるいは洗掘などの物理的障害によって、その表土は不安定であり裸地となっており、常に崩壊の恐れに曝されており、本発明を適用するのに好適である。
【００１９】
種子定着手段１３で捕捉可能な種子としては、水よりも比重が軽く、水面１２で浮遊可能な種子であれば、ヨシ、ガマ、ヒメガマ、マコモ、ヒシ、ガガブタ、アサザ、クロモ、エビモ、オオカナダモ、コカナダモ、ウキクサ類、ホテイアオイ、クレソン、ミント、セリ、オオフサモ、クウシンサイ、ミズアカネ、バミューダグラスなどの水生植物の種子を捕捉できるが、特にミズアカネの種子は、幅狭な細部の隙間に浸入しようとする特性を有することから好適に捕捉できる。
【００２０】
図１〜図３に示すように、種子定着手段１３として、複数本のロープ２０を撚り合せてなる紐状体２１と、紐状体２１を湛水法面１１の水位変動領域に固定するアンカー材２２とを有する種子定着手段１３Ａを採用できる。紐状体２１としては、複数本のロープ２０を撚り合せたものをそのまま用いることもできるが、複数本のロープ２０を撚り合せた後、長さ方向に設定間隔あけて結束紐２３で結束したものを用いることもできる。
【００２１】
撚り合わせるロープ２０としては、ジュート、ザイザル、マニラ麻、ケナフ、綿などの天然繊維からなるものを好適に採用できるが、合成繊維からなるものを用いることも可能である。また、撚り合わせる複数本のロープ２０のうちの少なくとも１本のロープとして保水ロープ２０Ａを用いることもできる。
【００２２】
保水ロープ２０Ａとしては、吸水性高分子からなる保水材をネット部材で被覆した周知の構成のものを採用できる。保水材としては、ポリアクリルアミドとビス（ＢＩＳ）とを架橋させたもの、澱粉とアクリル酸ソーダグラフトとの重合体、スチレン−無水マレイン酸共重合体の塩、ポリアクリル酸ソーダ架橋体、ポリビニルアルコールとアクリル酸塩とのグラフト共重合体、ビニルあるいはデキストラン等を採用できる。
【００２３】
紐状体２１は、直線状に水位変動領域１１Ａに配置させることもできるが、三角波状やサイン波状に配置させると、紐状体２１の使用量を少なくしつつ、水位変動領域１１Ａを面的に綺麗に緑化することができるので好ましい。水位変動領域１１Ａに対する紐状体２１の設置は、図２、図３に示すように、端部にフック部２２ａを有するアンカー材２２を用いて、このアンカー材２２のフック部２２ａに紐状体２１の途中部を引っ掛けて、アンカー材２２を水位変動領域１１Ａに固定し、設置することになる。例えば、三角波状に紐状体２１を設置する場合には、図２に示すように、紐状体２１の折曲部２１ａをアンカー材２２で水位変動領域１１Ａに固定して、水位変動領域１１Ａに設置できる。三角波状やサイン波状の紐状体２１の波形の振幅は例えば３０ｃｍ〜１００ｃｍに設定でき、波長は５０ｃｍ〜１００ｃｍに設定できる。このように波形状に配置する場合には、下側へ突出する紐状体２１の波の上側に水面１２上を浮遊する種子等が溜まり易くなるので好ましい。
【００２４】
また、紐状体２１は、水位変動領域１１Ａに上下に間隔をあけて複数本配置させることが広範囲を緑化する上で好ましい。紐状体２１の上下方向の間隔は５０ｃｍ〜１００ｃｍに設定できる。上下に配置される紐状体２１の波形の左右方向に対する位相は同じに設定してもよいし、異なる位相に設定してもよいが、全体的に統一感のあるレイアウトで配置することが好ましい。
【００２５】
ただし、種子定着手段１３に代えて、図４に示すように、コイル状に配置した紐状体２１をアンカー材２２で水位変動領域１１Ａに設置した種子定着手段１３Ｂを採用することもできる。また、図５、図６に示すように、紐状体２１を網状に配置してなる網状体２４を用い、アンカー材２２で水位変動領域１１Ａに固定した種子定着手段１３Ｃを採用することもできる。
【００２６】
また、種子定着手段１３に代えて、図７に示すように、扁平な網籠２５内に天然石又は人工石からなる石材２６を内装して構成した多孔質構造体２７からなる種子定着手段１３Ｄを用いることもできる。網籠２５の大きさは任意に設定できるが、高さは５ｃｍ〜２０ｃｍで、目開き１ｃｍ程度のものが好適である。また、図８（ａ）、図８（ｂ）、図９に示すように、上下方向に連通する多数の空間３０を有するハニカム状の型枠３１と、天然石又は人工石からなる石材３２とを有し、水位変動領域１１Ａに敷設した型枠３１の空間３０内に石材３２を装填した多孔質構造体３３からなる種子定着手段１３Ｅを採用することもできる。型枠３１としては、例えば株式会社日本ランテック製のテラセル（登録商標）を採用できるが、それ以外の構成のものを採用することも可能である。多孔質構造体２７、３３は、例えば平面視長方形状に構成して、長辺が水平方向となるように水位変動領域１１Ａに対して千鳥状に配置したり、左右方向に直線状に配置したりすることになる。この種子定着手段１３Ｄ、１３Ｅによれば、水面１２上を浮遊する種子等が、石材３２間の隙間に入り込んで、石材３２に捕捉されることになる。なお、網籠２５や型枠３０に充填される石材２６、３２に、生育させたい植物の種子を客土で被覆してなる種子ボールや、生育させたい植物のポット苗を植設することもできる。また、種子定着手段として、多孔質状の保水性ブロックなどからなる多孔質構造体を用いることも可能である。
【００２７】
この湛水法面緑化構造１０では、季節によってダム湖や貯水池の水位が変動し、水面１２に浮遊する植物の種子が、水面１２の下降に伴なって、種子定着手段１３で順次捕捉されて水位変動領域１１Ａに定着し、発芽して成育し、湛水法面１１が緑化されることになる。そして、水面１２の上昇に伴なって、水位変動領域１１Ａで成育した植物の種が、ダム湖や貯水池の上面に飛散し、次回水位が低下したときに、前記と同様に種子定着手段１３に捕捉されて、水位変動領域１１Ａに定着し、再び植物が成育するというサイクルを繰り返して、湛水法面１１の水位変動領域１１Ａ全体が順次緑化されることになる。
【００２８】
なお、前記種子定着手段１３はそれ単体で用いることもできるが、図１０、図１１に示す湛水法面緑化構造１０Ａ、１０Ｂのように、種子定着手段１３を植生マット４０と併用することもできる。植生マット４０としては、水位変動領域１１Ａに固定設置して、水位が高くなったときには水面１２下に水没するように構成したものを採用することもできるし、袋状マットにフロートを付設して一部が水面１２に浮かぶように構成したものを採用することができる。水没するように構成すると、植生マット４０で成育した植物の種子が確実に水面１２に飛散するので、水位変動領域１１Ａに対して種子を拡散する上で好ましい。植生マット４０としては、種子、肥料、土壌改良材などを不織布シートに内装してマット状となしたものを好適に利用でき、例えば多機能フィルター株式会社製のＭＦ−４５などを好適に採用できる。また、このように種子定着手段１３を植生マット４０と併用した場合には、植生マット４０で成育した植物の種子がダム湖や貯水池に飛散するので、初年度から十分な緑化が可能となる。
【符号の説明】
【００２９】
１０    湛水法面緑化構造      １１    湛水法面
１１Ａ  水位変動領域          １１Ｂ  陸上領域
１２    水面                  １３    種子定着手段
１３Ａ  種子定着手段          １３Ｂ  種子定着手段
１３Ｃ  種子定着手段          １３Ｄ  種子定着手段
１３Ｅ  種子定着手段
２０    ロープ                ２０Ａ  保水ロープ
２１    紐状体                ２１ａ  折曲部
２２    アンカー材            ２２ａ  フック部
２３    結束紐                ２４    網状体
２５    網籠                  ２６    石材
２７    多孔質構造体
３０    空間                  ３１    型枠
３２    石材                  ３３    多孔質構造体
１０Ａ  湛水法面緑化構造      １０Ｂ  湛水法面緑化構造
４０    植生マット
【図１】
2011069186.tif 000003
【図２】
2011069186.tif 000004
【図３】
2011069186.tif 000005
【図４】
2011069186.tif 000006
【図５】
2011069186.tif 000007
【図６】
2011069186.tif 000008
【図７】
2011069186.tif 000009
【図８】
2011069186.tif 000010
【図９】
2011069186.tif 000011
【図１０】
2011069186.tif 000012
【図１１】
2011069186.tif 000013